(57)【要約】【課題】鳴動予定の設定を契機として、当該新たに設定された鳴動予定が持つ鳴動予定日と同じ鳴動予定日を持つ既設定の鳴動予定を表示し、当該既設定の鳴動予定を個別に変更可能とする端末装置を提供する。【解決手段】操作情報入力部１４が、アラームの鳴動予定を入力し、鳴動予定設定部１１１が、入力された鳴動予定を設定して鳴動予定データ記憶部１２に記憶し、鳴動予定抽出部１１２が、鳴動予定データ記憶部１２内に既に記憶されているアラームの鳴動予定のうち、当該新たに設定されたアラームの鳴動予定が持つ鳴動予定日と同じ鳴動予定日を持つ鳴動予定を抽出し、表示部１３が、抽出された鳴動予定を表示する。【選択図】図１
2007336020.tif 000002
【特許請求の範囲】
【請求項１】
アラームの鳴動予定を入力する入力手段と、
前記入力された鳴動予定を設定する鳴動予定設定手段と、
前記設定された鳴動予定を記憶する記憶手段と、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する鳴動予定抽出手段と、
前記抽出された鳴動予定を表示する表示手段とを備える
ことを特徴とする端末装置。
【請求項２】
請求項１に記載の端末装置において、
前記入力手段が、更に、前記表示された鳴動予定のそれぞれについて、アラームを鳴動させるか又は鳴動させないかを選択する情報である鳴動可否選択情報を入力し、
前記鳴動予定設定手段が、更に、前記入力された鳴動可否選択情報に基づいて、前記表示された鳴動予定について、その設定をアラームを鳴動させる設定又はアラームを鳴動させない設定に変更する
ことを特徴とする端末装置。
【請求項３】
請求項１に記載の端末装置において、
前記鳴動予定を週毎に設定可能な場合であって、前記表示手段によって表示された鳴動予定の中に、鳴動予定日が当該新たに設定された鳴動予定が持つ鳴動予定日と繰り返し同じ日となる鳴動予定があるときに、前記入力手段が、更に、前記鳴動予定日が当該新たに設定された鳴動予定が持つ鳴動予定日と繰り返し同じ日となる鳴動予定の最初の鳴動予定日について、その鳴動予定日にのみアラームを鳴動させないことを指示する情報である初回鳴動否情報を入力し、
前記鳴動予定設定手段が、更に、前記入力された初回鳴動否情報に基づいて、前記鳴動予定日が当該新たに設定された鳴動予定が持つ鳴動予定日と繰り返し同じ日となる鳴動予定について、前記最初の鳴動予定日にのみアラームを鳴動させない設定に変更する
ことを特徴とする端末装置。
【請求項４】
端末装置にアラームの鳴動予定を設定するアラーム鳴動予定設定方法であって、
前記アラームの鳴動予定を入力し、
前記入力された鳴動予定を設定し、
前記設定された鳴動予定を記憶手段に記憶し、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出し、
前記抽出された鳴動予定を表示する
ことを特徴とするアラーム鳴動予定設定方法。
【請求項５】
端末装置にアラームの鳴動予定を設定するアラーム鳴動予定設定プログラムであって、
コンピュータに、
前記アラームの鳴動予定を入力する処理と、
前記入力された鳴動予定を設定する処理と、
前記設定された鳴動予定を記憶手段に記憶する処理と、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する処理と、
前記抽出された鳴動予定を表示する処理とを実行させる
ことを特徴とするアラーム鳴動予定設定プログラム。
【発明の詳細な説明】
【技術分野】
【０００１】
本発明は、端末装置、アラーム鳴動予定設定方法及びアラーム鳴動予定設定プログラムに関し、特に、アラームの鳴動予定を複数設定する機能を備える端末装置において、鳴動予定の設定を契機として、当該新たに設定された鳴動予定が持つ鳴動予定日と同じ鳴動予定日を持つ既設定の鳴動予定を表示し、当該既設定の鳴動予定を個別に変更可能とする端末装置、アラーム鳴動予定設定方法及びアラーム鳴動予定設定プログラムに関する。
【背景技術】
【０００２】
現在の携帯電話等の端末装置の多くは、複数の日時にアラームを鳴動させることを設定する機能を備えている。複数の日時についてアラームの鳴動予定を設定できる端末装置によれば、端末装置のユーザの生活に合わせてアラームを鳴動させることが可能となり、ユーザ個人についてのきめ細かなスケジュール管理を行うことができる。
【０００３】
下記の特許文献１は、予め音声出力を停止または再開する時刻を設定し、当該設定情報に基づいて音声出力のオンオフを制御する携帯機器であって、ユーザの指定入力に従って、音声出力の再開を延期する携帯機器に関して記載している。また、下記の特許文献２は、現在時刻が予め設定された時刻になると、スケジュールの通知先に対してスケジュールの内容を自動的に送信する携帯機器に関して記載している。また、下記の特許文献３は、音声通話の着信時に、予め記録されたユーザのスケジュールの内容に従って発信者に対して自動応答する携帯機器に関して記載している。
【特許文献１】特開２００４−２２１９３７号公報
【特許文献２】特開２００２−３１４６４４号公報
【特許文献３】特開２００２−２１８０２３号公報
【発明の開示】
【発明が解決しようとする課題】
【０００４】
ユーザが新たなアラームの鳴動予定を端末装置に設定した場合、当該鳴動予定日と同日の鳴動予定日を持つ既設定の鳴動予定が、ユーザがアラームの鳴動を望まない鳴動予定である場合がある。そのような場合に、ユーザが、アラームの鳴動を望まない鳴動予定の設定の解除を忘れてしまうと、当該鳴動予定について設定された時刻にアラームが鳴動してしまう。その結果、例えば、ユーザが電車等の交通機関に乗車中である場合に、望ましくないアラームが鳴動してしまう恐れがある。
【０００５】
また、例えば、ユーザが新たなアラームの鳴動予定を端末装置に設定した場合、ユーザが、当該鳴動予定日に限って、同日の他の鳴動予定の設定を解除したい場合がある。例えば、平日の午前７時にアラームを鳴動させるという鳴動予定が端末装置に既に設定されており、２００６年４月１７日（月）の午前５時にアラームを鳴動させるという鳴動予定を新たに設定したときに、ユーザが、２００６年４月１７日（月）に限って午前７時にアラームを鳴動しないようにし、その日以外の平日の午前７時にはアラームが鳴動することを望む場合がある。そのような場合に、従来技術によっては、ユーザは、ユーザが望まない鳴動予定の設定を一旦解除し、その後、一旦解除された鳴動予定の設定を再度有効とするためのキー操作等を行う必要があるため、ユーザの操作負担が大きい。
【０００６】
また、上記特許文献１乃至特許文献３に記載された技術は、いずれも、新たなアラームの鳴動予定を設定した際に、当該鳴動予定日に鳴動するように設定されている他の鳴動予定についての鳴動の可否を個別に設定変更することは行っていない。従って、例えば、鳴動形態がバイブレータ振動である鳴動予定についてだけ設定を有効とし、その他の鳴動形態（例えば、音鳴動）である鳴動予定については設定を解除するようにできない。
【０００７】
本発明は、鳴動予定の設定を契機として、当該新たに設定された鳴動予定が持つ鳴動予定日と同じ鳴動予定日を持つ既設定の鳴動予定を表示し、当該既設定の鳴動予定を個別に変更可能とする端末装置の提供を目的とする。
【０００８】
また、本発明は、鳴動予定の設定を契機として、当該新たに設定された鳴動予定が持つ鳴動予定日と同じ鳴動予定日を持つ既設定の鳴動予定を表示し、当該既設定の鳴動予定を個別に変更可能とするアラーム鳴動予定設定方法の提供を目的とする。
【０００９】
また、本発明は、鳴動予定の設定を契機として、当該新たに設定された鳴動予定が持つ鳴動予定日と同じ鳴動予定日を持つ既設定の鳴動予定を表示し、当該既設定の鳴動予定を個別に変更可能とするアラーム鳴動予定設定プログラムの提供を目的とする。
【課題を解決するための手段】
【００１０】
本発明の端末装置は、アラームの鳴動予定を入力する入力手段と、前記入力された鳴動予定を設定する鳴動予定設定手段と、前記設定された鳴動予定を記憶する記憶手段と、前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する鳴動予定抽出手段と、前記抽出された鳴動予定を表示する表示手段とを備える。
【００１１】
また、好ましくは、本発明の端末装置において、前記入力手段が、更に、前記表示された鳴動予定のそれぞれについて、アラームを鳴動させるか又は鳴動させないかを選択する情報である鳴動可否選択情報を入力し、前記鳴動予定設定手段が、更に、前記入力された鳴動可否選択情報に基づいて、前記表示された鳴動予定について、その設定をアラームを鳴動させる設定又はアラームを鳴動させない設定に変更する。
【００１２】
また、好ましくは、本発明の端末装置において、前記鳴動予定を週毎に設定可能な場合であって、前記表示手段によって表示された鳴動予定の中に、鳴動予定日が当該新たに設定された鳴動予定が持つ鳴動予定日と繰り返し同じ日となる鳴動予定があるときに、前記入力手段が、更に、前記鳴動予定日が当該新たに設定された鳴動予定が持つ鳴動予定日と繰り返し同じ日となる鳴動予定の最初の鳴動予定日について、その鳴動予定日にのみアラームを鳴動させないことを指示する情報である初回鳴動否情報を入力し、前記鳴動予定設定手段が、更に、前記入力された初回鳴動否情報に基づいて、前記鳴動予定日が当該新たに設定された鳴動予定が持つ鳴動予定日と繰り返し同じ日となる鳴動予定について、前記最初の鳴動予定日にのみアラームを鳴動させない設定に変更する。
【００１３】
また、本発明のアラーム鳴動予定設定方法は、端末装置にアラームの鳴動予定を設定するアラーム鳴動予定設定方法であって、前記アラームの鳴動予定を入力し、前記入力された鳴動予定を設定し、前記設定された鳴動予定を記憶手段に記憶し、前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出し、前記抽出された鳴動予定を表示する。
【００１４】
また、本発明のアラーム鳴動予定設定プログラムは、端末装置にアラームの鳴動予定を設定するアラーム鳴動予定設定プログラムであって、コンピュータに、前記アラームの鳴動予定を入力する処理と、前記入力された鳴動予定を設定する処理と、前記設定された鳴動予定を記憶手段に記憶する処理と、前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する処理と、前記抽出された鳴動予定を表示する処理とを実行させる。
【発明の効果】
【００１５】
本発明の端末装置、アラーム鳴動予定設定方法及びアラーム鳴動予定設定プログラムは、アラームの鳴動予定を設定して記憶手段に記憶し、鳴動予定の設定を契機として、上記記憶手段に既に記憶されている鳴動予定のうち、当該新たに設定された鳴動予定が持つ鳴動予定日と同じ鳴動予定日を持つ鳴動予定を抽出して表示する。本発明の端末装置、アラーム鳴動予定設定方法及びアラーム鳴動予定設定プログラムによれば、端末装置のユーザが、新たに設定された鳴動予定が持つ鳴動予定日と同じ日に鳴動する予定のアラームスケジュールを効率的に把握することが可能となる。
【００１６】
また、本発明の端末装置は、上記表示された鳴動予定のそれぞれについて、アラームを鳴動させるか又は鳴動させないかを選択する情報である鳴動可否選択情報を入力し、上記入力された鳴動可否選択情報に基づいて、上記表示された前記鳴動予定について、その設定をアラームを鳴動させる設定又はアラームを鳴動させない設定に変更する。本発明の端末装置によれば、新たに設定された鳴動予定が持つ鳴動予定日と同じ鳴動予定日を持つ鳴動予定について、個別にアラームを鳴動させるか又は鳴動させないかを選択することが可能となる。
【００１７】
また、本発明の端末装置は、鳴動予定を週毎に設定可能な場合であって、上記表示された鳴動予定の中に、鳴動予定日が当該新たに設定された鳴動予定が持つ鳴動予定日と繰り返し同じ日となる鳴動予定があるときに、初回鳴動否情報を入力する。初回鳴動否情報とは、鳴動予定日が当該新たに設定された鳴動予定が持つ鳴動予定日と繰り返し同じ日となる鳴動予定の最初の鳴動予定日について、その鳴動予定日にのみアラームを鳴動させないことを指示する情報である。そして、本発明の端末装置は、上記入力された初回鳴動否情報に基づいて、前記鳴動予定日が当該新たに設定された鳴動予定が持つ鳴動予定日と繰り返し同じ日となる鳴動予定について、前記最初の鳴動予定日にのみアラームを鳴動させない設定に変更する。本発明の端末装置によれば、新たに設定された鳴動予定が持つ鳴動予定日と繰り返し同じ日となる鳴動予定日を持つ鳴動予定について、上記最初の鳴動予定日にのみアラームを鳴動させず、次回以降（最初の鳴動予定日の翌日以降）の鳴動予定日にはアラームを鳴動させることが可能となる。
【発明を実施するための最良の形態】
【００１８】
図１は、端末装置構成図であり、本発明の端末装置の構成の一例を示す図である。端末装置１は、例えば携帯電話等の電話機からなる。この例では、端末装置１は、通常の電話（携帯電話）の機能と電子メールの機能といった周知の機能を備える。端末装置１は、更に他の機能、例えばインターネット接続機能を備えていても良い。また、端末装置１は、例えば固定電話機であっても良い。
【００１９】
最初に、端末装置１の備えるこれらの周知の機能について簡単に説明する。無線部１８は、無線通信により、端末装置１の外部（例えば、街頭に設置されたアンテナ）から受信した信号をベースバンド部１９に送信する。また、無線部１８は、ベースバンド部１９から受信した信号を端末装置１の外部に対して、無線通信により送信する。ベースバンド部１９は、無線部１８に送信する信号の変調処理を行い、無線部１８から受信する信号の復調処理を行う。ベースバンド部１９は、音声通話の着信（電話の着呼）があった場合又は電子メールを受信した場合、アプリケーション部１１に対して起動要求を送信し、無線部１８が受信した信号を無線部１８から受け取って復調し、アプリケーション部１１に送信する。また、ベースバンド部１９は、音声通話の発信又は電子メールの送信の際に、アプリケーション部１１からの信号を受信して変調し、無線部１８に送信する。更に、ベースバンド部１９は、アプリケーション部１１に対して、必要に応じてリセット要求を行う。
【００２０】
アプリケーション部１１は、ベースバンド部１９から起動要求されると、音声通話着信又は電子メール受信の着信処理を行なう。即ち、アプリケーション部１１からの指示に応じて、音声出力部１５が、着信をユーザに知らせるための音声通話出力を行い、振動部１６が、着信をユーザに知らせるためのバイブレーション動作を行う。
【００２１】
アプリケーション部１１からの指示に応じて、表示部１３は、音声通話着信又は電子メール受信をユーザに知らせるための表示出力を行う。表示部１３は、例えばＬＣＤ（液晶表示装置）等からなり、表示画面を備える。音声出力部１５は、例えばスピーカ及びマイク等からなる。音声出力部１５は、音声通話入力部を備えると考えて良い（即ち、音声通話入出力部である）。
【００２２】
アプリケーション部１１は、端末装置１の表示部１３に表示された操作画面上における操作に応じた処理を実行する。例えば、表示画面の切替等の処理を行なう。即ち、アプリケーション部１１からの指示に応じて、表示部１３は、操作情報入力部１４による操作結果を画面に表示する。操作情報入力部１４は、周知のように、複数の入力キー（ボタン）からなる。操作情報入力部１４は、ユーザのキー操作に従って、端末装置１の操作情報を入力する。操作情報は、例えば、電話番号、電子メールアドレス、電話又は電子メールの発信の指示情報、アラームの鳴動予定の設定指示情報、鳴動可否選択情報、初回鳴動否情報、初回鳴動可情報等である。鳴動可否選択情報、初回鳴動否情報、初回鳴動可情報については、後述する。アラームの鳴動予定の設定指示情報とは、アプリケーション部１１内の後述する鳴動予定設定部１１１に対して、アラームの鳴動予定の設定を指示する情報である。すなわち、操作情報入力部１４は、アラームの鳴動予定を入力する入力手段である。操作情報入力部１４は、ユーザのキー操作に従って、これらの操作情報を入力する。
【００２３】
なお、ＲＴＣ（Real Time Clock ）部１７は、時刻情報を生成してベースバンド部１９、電源ＬＳＩ２１、及びアプリケーション部１１に送信する。電源スイッチ２０は、例えば操作情報入力部１４のＰｏｗｅｒＫｅｙ（電源キー）からなる当該端末装置１の電源スイッチである。電源ＬＳＩ２１は、電源スイッチ２０のオンに応じて、端末装置１に電源を供給する。ベースバンド部１９は、通信の終了を検出すると、電源ＬＳＩ２１に電源オフを通知する。これに応じて、電源ＬＳＩ２１はベースバンド部１９にリセットを通知し、ベースバンド部１９はアプリケーション部１１にリセットを通知する。ベースバンド部１９及びアプリケーション部１１における電源遮断処理の終了後、電源ＬＳＩ２１は電源を遮断する。
【００２４】
ここで、アプリケーション部１１は、本発明に従って、操作情報入力部１４から入力された操作情報に基づいて、鳴動予定設定部１１１により、アラームの鳴動予定を設定し、鳴動予定データ記憶部１２に登録（記憶）する。すなわち、鳴動予定設定部１１１は、入力された鳴動予定を設定する鳴動予定設定手段である。鳴動予定データ記憶部１２には、アラームの鳴動予定を示すデータ（鳴動予定データ）が記憶される。すなわち、鳴動予定データ記憶部１２は、設定されたアラームの鳴動予定を記憶する記憶手段である。本発明の一実施形態によれば、鳴動予定設定部１１１は、設定した鳴動予定を、鳴動予定データ記憶部１２中において、日を単位に管理する。また、本発明の一実施形態によれば、鳴動予定設定部１１１は、週毎又は月毎に鳴動予定を設定する。
【００２５】
また、アプリケーション部１１は、本発明に従って、鳴動予定設定部１１１によってアラームの鳴動予定が新たに設定されたことを契機として、鳴動予定抽出部１１２により、鳴動予定データ記憶部１２内に既に記憶されているアラームの鳴動予定（データ）のうち、新たに設定されたアラームの鳴動予定が持つ鳴動予定日と同じ鳴動予定日を持つ全ての鳴動予定の抽出処理を行う。すなわち、鳴動予定抽出部１１２は、鳴動予定の設定を契機として、記憶手段（鳴動予定データ記憶部１２）に既に記憶されている鳴動予定のうち、当該新たに設定された鳴動予定が持つ鳴動予定日と同じ鳴動予定日を持つ鳴動予定を抽出する鳴動予定抽出手段である。この例では、この抽出処理は、本発明に従って、ユーザが何ら入力を行なうこと無く（意識すること無く）、行なわれる。そして、アプリケーション部１１は、本発明に従って、表示部１３により、上記抽出処理によって得られた全ての鳴動予定を表示する。
【００２６】
アプリケーション部１１は、本発明に従って、更に、操作情報入力部１４から入力された操作情報に基づいて、鳴動予定設定部１１１により、アラームの鳴動予定の設定内容を変更する。すなわち、本発明の一実施形態によれば、操作情報入力部１４が、更に、表示部１３によって表示された鳴動予定のそれぞれについて、鳴動可否選択情報を入力する。鳴動可否選択情報とは、アラームを鳴動させるか又は鳴動させないかを選択する情報である。また、鳴動予定設定部１１１が、更に、操作情報入力部１４によって入力された鳴動可否選択情報に基づいて、表示部１３によって表示された鳴動予定について、その設定をアラームを鳴動させる設定又はアラームを鳴動させない設定に変更する。
【００２７】
また、本発明の一実施形態によれば、鳴動予定を週毎に設定可能な場合であって、表示部１３によって表示された鳴動予定の中に、鳴動予定日が当該新たに設定された鳴動予定が持つ鳴動予定日と繰り返し同じ日となる鳴動予定があるときに、操作情報入力部１４が、更に、鳴動予定日が当該新たに設定された鳴動予定が持つ鳴動予定日と繰り返し同じ日となる鳴動予定の最初の鳴動予定日について、その鳴動予定日にのみアラームを鳴動させないことを指示する情報である初回鳴動否情報を入力する。そして、鳴動予定設定部１１１が、更に、上記入力された初回鳴動否情報に基づいて、鳴動予定日が当該新たに設定された鳴動予定が持つ鳴動予定日と繰り返し同じ日となる鳴動予定について、上記最初の鳴動予定日にのみアラームを鳴動させない設定に変更する。
【００２８】
また、本発明の一実施形態によれば、鳴動予定を週毎に設定可能な場合であって、表示部１３によって表示された鳴動予定の中に、鳴動予定日が当該新たに設定された鳴動予定が持つ鳴動予定日と繰り返し同じ日となる鳴動予定があるときに、操作情報入力部１４が、更に、鳴動予定日が当該新たに設定された鳴動予定が持つ鳴動予定日と繰り返し同じ日となる鳴動予定の最初の鳴動予定日について、その鳴動予定日にのみアラームを鳴動させることを指示する情報である初回鳴動可情報を入力する。そして、鳴動予定設定部１１１が、更に、上記入力された初回鳴動可情報に基づいて、鳴動予定日が当該新たに設定された鳴動予定が持つ鳴動予定日と繰り返し同じ日となる鳴動予定について、上記最初の鳴動予定日にのみアラームを鳴動させる設定に変更する。
【００２９】
また、本発明の一実施形態によれば、鳴動予定を週毎に設定可能な場合であって、表示部１３によって表示された鳴動予定の中に、鳴動予定日が当該新たに設定された鳴動予定が持つ鳴動予定日と繰り返し同じ日となる鳴動予定があるときに、操作情報入力部１４が、更に、鳴動予定日が当該新たに設定された鳴動予定が持つ鳴動予定日と繰り返し同じ日となる鳴動予定について、アラームを鳴動させない期間を指示する鳴動期間情報を入力する。そして、鳴動予定設定部１１１が、更に、上記入力された鳴動期間情報に基づいて、鳴動予定日が当該新たに設定された鳴動予定が持つ鳴動予定日と繰り返し同じ日となる鳴動予定について、上記鳴動期間情報が指示する期間アラームを鳴動させない設定に変更する。
【００３０】
また、アプリケーション部１１は、本発明に従って、鳴動制御部１１３により、アラームの鳴動を制御する。すなわち、鳴動制御部１１３は、ＲＴＣ部１７から送信された時刻情報と鳴動予定データ記憶部１２内に記憶されている鳴動予定データとに基づいて、鳴動予定として設定された日時に、音声出力部１５に音声を出力（音鳴動）させる。また、鳴動制御部１１３は、ＲＴＣ部１７から送信された時刻情報と鳴動予定データ記憶部１２内に記憶されている鳴動予定データとに基づいて、鳴動予定として設定された日時に、振動部１６にバイブレーション動作をさせる。
【００３１】
なお、アプリケーション部１１は、ＣＰＵとその上で実行されるプログラムにより実現される。この本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【００３２】
図２は、鳴動予定データのデータ構成の一例を示す図である。鳴動予定データは、前述のように、鳴動予定データ記憶部１２に記憶される。鳴動予定データ記憶部１２は、例えばフラッシュメモリ等の不揮発性メモリからなる。図２に示すように、鳴動予定データは、各々、例えば「アラーム名」、「鳴動予定時期」、「鳴動予定時刻」、「鳴動形態」、「解除種別」、「フラグ」、「解除期間」からなる。
【００３３】
「アラーム名」は、アラームの名称を設定する。「鳴動予定時期」は、当該アラームの鳴動予定時期を設定する。「鳴動予定時期」の設定内容によって、当該アラームの鳴動予定日が特定される。例えば、当該アラームの設定処理が行われた日以降に到来する最初の水曜日が２００６年４月２６日（水）である場合、図２中に示す「アラーム名」がミーティング１である鳴動予定についての最初の鳴動予定日は、２００６年４月２６日（水）である。「鳴動予定時刻」は、当該アラームの鳴動予定時刻を設定する。「鳴動形態」は、当該アラームの鳴動形態を設定する。「鳴動形態」には、例えば、当該アラームを音鳴動させるか又はバイブレータ振動により鳴動させるかが設定される。
【００３４】
「解除種別」は、当該アラームの鳴動予定の解除の種別を設定する。例えば、当該アラームの鳴動予定を全て解除する場合には、「解除種別」に「１」が設定される。例えば、当該アラームの鳴動予定の初回の鳴動予定日についてのみ鳴動予定を解除し、次回以降の鳴動予定日にアラームを鳴動させる場合には、「解除種別」に「２」が設定される。また、例えば、当該アラームの鳴動予定について解除期間を指定する場合には、「解除種別」に「３」が設定される。また、例えば、初回の鳴動予定日にのみ当該アラームを鳴動させ、次回以降の鳴動予定日についてはアラームの鳴動予定を解除する場合には、「解除種別」に「４」が設定される。また、例えば、当該アラームを鳴動予定日に鳴動させる場合には、「解除種別」に「０」が設定される。なお、本発明の一実施形態によれば、各鳴動予定が設定された当初は、「解除種別」に「０」を設定するようにしてもよい。
【００３５】
「フラグ」は、当該アラームを鳴動させるか鳴動させないかを示す情報（フラグ）を設定する。例えば、当該アラームを鳴動させる場合、「フラグ」に「０」が設定され、当該アラームを鳴動させない場合、「フラグ」に「１」が設定される。「解除期間」は、当該アラームの鳴動予定を解除する期間（当該アラームを鳴動させない期間）を設定する。
【００３６】
図３は、鳴動予定の設定処理フローの一例を示す図である。鳴動予定設定部１１１が、アラームの鳴動予定を新たに設定し（ステップＳ１）、設定された鳴動予定を鳴動予定データ記憶部１２に登録する（ステップＳ２）。鳴動予定抽出部１１２が、鳴動予定データ記憶部１２に設定された鳴動予定を抽出して、新たに設定した鳴動予定の鳴動予定日と同日に鳴動する予定の既設定の鳴動予定があるかを判断する（ステップＳ３）。鳴動予定抽出部１１２が、新たに設定した鳴動予定の鳴動予定日と同日に鳴動する予定の既設定の鳴動予定がないと判断した場合は、処理を終了する。鳴動予定抽出部１１２が新たに設定した鳴動予定の鳴動予定日と同日に鳴動する予定の既設定の鳴動予定があると判断した場合は、表示部１３が、当該新たに設定した鳴動予定の鳴動予定日と同日に鳴動する予定の既設定の鳴動予定の全てを表示する（ステップＳ４）。例えば、図４（Ａ）に示すような鳴動予定一覧画面が表示される。図４（Ａ）に示す鳴動予定一覧画面には、７時に目覚ましとしてアラームが鳴動するという鳴動予定と、１３時にミーティングの通知のためアラームが鳴動するという鳴動予定とが表示されている。図４（Ａ）に示す画面（操作画面）は、例えばアプリケーション部１１に予め備えられる。なお、後述する図４（Ｂ）、図５（Ａ）及び（Ｂ）、図６（Ａ）及び（Ｂ）に示す画面（操作画面）も、同様に、例えばアプリケーション部１１に予め備えられる。
【００３７】
ステップＳ４においては、アプリケーション部１１が、表示部１３に、鳴動予定抽出部１１２による抽出結果に基づいて、当該新たに設定された鳴動予定の鳴動予定日と繰り返し（例えば、毎週）同日となる鳴動予定日を持つ既設定の鳴動予定については、当該既設定の鳴動予定の鳴動予定日が新たに設定された鳴動予定の鳴動予定日と繰り返し同日となることを示す情報を、当該既設定の鳴動予定に対応付けて表示させるようにしてもよい。また、例えば、アプリケーション部１１が、表示部１３に、当該新たに設定した鳴動予定の鳴動予定日と同日に鳴動する予定の既設定の鳴動予定に対応付けて、当該既設定の鳴動予定についての鳴動形態を示す情報を表示させるようにしてもよい。
【００３８】
例えば、図４（Ａ）に示す鳴動予定一覧画面上の「！（エクスクラメーションマーク）」は、当該新たに設定した鳴動予定の鳴動予定日と、７時に目覚ましとしてアラームが鳴動されるという既設定の鳴動予定の鳴動予定日とが、繰り返し（例えば、毎週）同日となることを示す。また、例えば、図４（Ａ）に示す鳴動予定一覧画面上のマーク「ｖ」は、１３時に予定されている鳴動についての鳴動形態が、バイブレーション振動であることを示す。
【００３９】
次に、アプリケーション部１１が、鳴動予定一覧画面上におけるユーザによる選択入力に従って、表示された既設定の鳴動予定を選択する（ステップＳ５）。アプリケーション部１１が、新たに設定された鳴動予定の鳴動予定日と繰り返し同日となる鳴動予定日を持つ鳴動予定を選択したかを判断する（ステップＳ６）。アプリケーション部１１が、新たに設定された鳴動予定の鳴動予定日と繰り返し同日となる鳴動予定日を持つ鳴動予定を選択していないと判断した場合は、アプリケーション部１１は、選択された鳴動予定の設定内容を選択するための画面（鳴動可否選択画面）を表示部１３に表示させる（ステップＳ７）。例えば、図４（Ｂ）に示すような鳴動可否選択画面が表示される。端末装置１のユーザは、当該鳴動可否選択画面上に表示された、既設定の鳴動予定について、アラームを鳴動させるか鳴動させないかを選択する。その結果、操作情報入力部１４によって、当該既設定の鳴動予定についての前述した鳴動可否選択情報が、アプリケーション部１１に対して入力される。
【００４０】
アプリケーション部１１は、上述した鳴動可否選択情報に基づいて、既設定の鳴動予定について鳴動させることが選択されたかを判断する（ステップＳ８）。アプリケーション部１１が、既設定の鳴動予定について鳴動させないことが選択されたと判断した場合は、アプリケーション部１１は、当該鳴動予定の設定内容を変更する（ステップＳ９）。例えば、アプリケーション部１１は、図２に示すような鳴動予定データ記憶部１２に記憶された鳴動予定データを参照して、鳴動させないことが選択された当該鳴動予定に対応する「解除種別」に「１」を設定する。アプリケーション部１１が、既設定の鳴動予定について鳴動させることが選択されたと判断した場合は、ステップＳ１０に進む。
【００４１】
そして、アプリケーション部１１が、未選択の鳴動予定があるかを判断する（ステップＳ１０）。アプリケーション部１１が、未選択の鳴動予定があると判断した場合は、ステップＳ５に戻り、アプリケーション部１１が、未選択の鳴動予定がないと判断した場合は、処理を終了する。
【００４２】
上記ステップＳ６において、アプリケーション部１１が、新たに設定された鳴動予定の鳴動予定日と繰り返し同日となる鳴動予定日を持つ鳴動予定が選択されたと判断した場合は、アプリケーション部１１は、選択された鳴動予定の繰り返し設定の可否を選択するための画面を表示する（ステップＳ１１）。当該選択された鳴動予定の繰り返し設定とは、当該選択された鳴動予定の鳴動予定日と上記新たに設定された鳴動予定の鳴動予定日とが繰り返し同日となる設定のことをいう。アプリケーション部１１は、例えば、図５（Ａ）に示すような操作画面（鳴動可否選択画面）を表示部１３に表示させる。端末装置１のユーザは、図５（Ａ）に示すような操作画面上で、当該選択された鳴動予定の繰り返し設定を変更するか変更しないかを選択入力する。
【００４３】
次に、アプリケーション部１１が、ユーザによる選択入力に従って、繰り返し設定を変更するかを判断する（ステップＳ１２）。アプリケーション部１１が、繰り返し設定を変更しないと判断した場合は、ステップＳ１０に進む。アプリケーション部１１が、繰り返し設定を変更すると判断した場合は、アプリケーション部１１は、繰り返し同日となる鳴動予定日の全てについて鳴動を解除するかを選択するための画面を表示する（ステップＳ１３）。
【００４４】
アプリケーション部１１は、例えば、図５（Ｂ）に示すような操作画面（鳴動可否選択画面）を表示部１３に表示させる。端末装置１のユーザは、図５（Ｂ）に示すような操作画面上で、当該繰り返し同日となる鳴動予定日における鳴動を全て解除するか、又は、解除範囲を設定するかを選択入力する。
【００４５】
次に、アプリケーション部１１が、ユーザによって選択入力された情報に基づいて、繰り返し同日となる鳴動予定日の全てについて鳴動を解除するかを判断する（ステップＳ１４）。アプリケーション部１１が、繰り返し同日となる鳴動予定日の全てについて鳴動を解除すると判断した場合は、鳴動予定の設定内容を変更して（ステップＳ１６）、繰り返し同日となる鳴動予定日の全てについて鳴動を解除する。例えば、アプリケーション部１１は、図２に示すような鳴動予定データ記憶部１２に記憶された鳴動予定データを参照して、鳴動を解除する対象となる当該鳴動予定に対応する「解除種別」に「１」を設定する。
【００４６】
例えば、図５（Ｂ）に示す操作画面上において、ユーザが「解除範囲を設定する」を選択した場合には、上記ステップＳ１４において、アプリケーション部１１が、繰り返し同日となる鳴動予定日の全てについて鳴動を解除すると判断しない。アプリケーション部１１は、ユーザによる選択入力に従って、鳴動の解除範囲を設定する（ステップＳ１５）。ステップＳ１５において、例えば、アプリケーション部１１は、図６（Ａ）に示すような、鳴動の解除範囲を選択するための操作画面（鳴動可否選択画面）を表示する。図６（Ａ）に示す操作画面上において、ユーザが、例えば「初回のみ」を選択すると、操作情報入力部１４によって、前述した初回鳴動否情報がアプリケーション部１１に対して入力される。アプリケーション部１１は、入力された初回鳴動否情報に基づいて、鳴動の解除範囲として、当該鳴動予定についての初回の（最初の）鳴動予定日を設定する。また、ユーザが、例えば、「次回以降」を選択すると、操作情報入力部１４によって、前述した初回鳴動可情報がアプリケーション部１１に対して入力される。アプリケーション部１１は、入力された初回鳴動可情報に基づいて、鳴動の解除範囲として、当該鳴動予定についての次回以降（最初の鳴動予定日の翌日以降）の鳴動予定日を設定する。
【００４７】
また、ユーザが、例えば、「解除期間を設定する」を選択すると、アプリケーション部１１は、例えば、図６（Ｂ）に示すような、解除期間を入力するための操作画面（鳴動可否選択画面）を表示する。ユーザが、図６（Ｂ）に示す操作画面上で解除期間を入力すると、操作情報入力部１４によって、アラームを鳴動させない期間（解除期間）を指示する情報がアプリケーション部１１に対して入力される。アプリケーション部１１は、入力された解除期間を鳴動の解除範囲として設定する。そして、アプリケーション部１１は、ステップＳ１５において設定された鳴動の解除範囲に基づいて、鳴動予定の設定内容を変更し（ステップＳ１６）、ステップＳ１０に進む。例えば、上述した図６（Ａ）に示す操作画面上において、「初回のみ」が選択された場合は、アプリケーション部１１は、例えば、図２に示すような鳴動予定データ記憶部１２に記憶された鳴動予定データを参照して、鳴動を解除する対象となる当該鳴動予定に対応する「解除種別」に「２」を設定し、「フラグ」に「１」を設定する。図６（Ａ）に示す操作画面上において、「次回以降」が選択された場合は、アプリケーション部１１は、例えば、鳴動を解除する対象となる当該鳴動予定に対応する「解除種別」に「４」を設定し、「フラグ」に「０」を設定する。図６（Ａ）に示す操作画面上において、「解除期間を設定する」が選択され、また、図６（Ｂ）に示す操作画面上において、解除期間が入力された場合は、アプリケーション部１１は、例えば、鳴動を解除する対象となる当該鳴動予定に対応する「解除種別」に「３」を設定し、「解除期間」に、入力された解除期間を設定する。
【００４８】
次に、アラームの鳴動制御処理例について説明する。アプリケーション部１１内の鳴動制御部１１３は、ＲＴＣ部１７から送信された時刻情報を用いて、鳴動予定データ記憶部１２に設定された各鳴動予定についての鳴動を制御する。すなわち、鳴動制御部１１３は、例えば、１分周期で、現在日付時刻と、既設定の鳴動予定についての鳴動予定時刻とを照合する。ある鳴動予定についての鳴動予定時刻が現在日付時刻と一致した場合、鳴動制御部１１３は、当該鳴動予定の「解除種別」を確認する。「解除種別」が「０」の場合、鳴動制御部１１３は、当該鳴動予定について設定された鳴動形態でアラームを鳴動させる。「解除種別」が「２」の場合、鳴動制御部１１３は、当該鳴動予定について設定された「フラグ」を確認する。鳴動制御部１１３は、当該「フラグ」が「０」の場合、当該鳴動予定についてアラームを鳴動させる。当該「フラグ」が「１」の場合、当該鳴動予定について鳴動処理を実行せず、当該「フラグ」を「０」に書き換える。「解除種別」が「４」の場合、鳴動制御部１１３は、当該鳴動予定について設定された「フラグ」を確認し、当該「フラグ」が「０」の場合、当該鳴動予定についてアラームを鳴動させる。当該「フラグ」が「１」の場合、当該鳴動予定について鳴動処理を実行しない。「解除種別」が「１」の場合、鳴動制御部１１３は、当該鳴動予定について鳴動処理を実行しない。「解除種別」が「３」の場合、鳴動制御部１１３は、当該鳴動予定の「解除期間」に設定された解除期間と現在日付時刻とを比較する。鳴動制御部１１３は、現在日付時刻が当該解除期間内であれば、当該鳴動予定について鳴動処理を実行せず、現在日付時刻が当該解除期間外であれば、当該鳴動予定についてアラームを鳴動させる。
【００４９】
以上から把握できるように、本発明の実施形態の特徴を述べると以下の通りである。
【００５０】
（付記１）アラームの鳴動予定を入力する入力手段と、
前記入力された鳴動予定を設定する鳴動予定設定手段と、
前記設定された鳴動予定を記憶する記憶手段と、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する鳴動予定抽出手段と、
前記抽出された鳴動予定を表示する表示手段とを備える
ことを特徴とする端末装置。
【００５１】
（付記２）付記１に記載の端末装置において、
前記入力手段が、更に、前記表示された鳴動予定のそれぞれについて、アラームを鳴動させるか又は鳴動させないかを選択する情報である鳴動可否選択情報を入力し、
前記鳴動予定設定手段が、更に、前記入力された鳴動可否選択情報に基づいて、前記表示された鳴動予定について、その設定をアラームを鳴動させる設定又はアラームを鳴動させない設定に変更する
ことを特徴とする端末装置。
【００５２】
（付記３）付記１に記載の端末装置において、
前記鳴動予定を週毎に設定可能な場合であって、前記表示手段によって表示された鳴動予定の中に、鳴動予定日が当該新たに設定された鳴動予定が持つ鳴動予定日と繰り返し同じ日となる鳴動予定があるときに、前記入力手段が、更に、前記鳴動予定日が当該新たに設定された鳴動予定が持つ鳴動予定日と繰り返し同じ日となる鳴動予定の最初の鳴動予定日について、その鳴動予定日にのみアラームを鳴動させないことを指示する情報である初回鳴動否情報を入力し、
前記鳴動予定設定手段が、更に、前記入力された初回鳴動否情報に基づいて、前記鳴動予定日が当該新たに設定された鳴動予定が持つ鳴動予定日と繰り返し同じ日となる鳴動予定について、前記最初の鳴動予定日にのみアラームを鳴動させない設定に変更する
ことを特徴とする端末装置。
【００５３】
（付記４）付記１に記載の端末装置において、
前記鳴動予定を週毎に設定可能な場合であって、前記表示手段によって表示された鳴動予定の中に、鳴動予定日が当該新たに設定された鳴動予定が持つ鳴動予定日と繰り返し同じ日となる鳴動予定があるときに、前記入力手段が、更に、前記鳴動予定日が当該新たに設定された鳴動予定が持つ鳴動予定日と繰り返し同じ日となる鳴動予定の最初の鳴動予定日について、その鳴動予定日にのみアラームを鳴動させることを指示する情報である初回鳴動可情報を入力し、
前記鳴動予定設定手段が、更に、前記入力された初回鳴動可情報に基づいて、前記鳴動予定日が当該新たに設定された鳴動予定が持つ鳴動予定日と繰り返し同じ日となる鳴動予定について、前記最初の鳴動予定日にのみアラームを鳴動させる設定に変更する
ことを特徴とする端末装置。
【００５４】
（付記５）付記１に記載の端末装置において、
前記鳴動予定を週毎に設定可能な場合であって、前記表示手段によって表示された鳴動予定の中に、鳴動予定日が当該新たに設定された鳴動予定が持つ鳴動予定日と繰り返し同じ日となる鳴動予定があるときに、前記入力手段が、更に、前記鳴動予定日が当該新たに設定された鳴動予定が持つ鳴動予定日と繰り返し同じ日となる鳴動予定について、アラームを鳴動させない期間を指示する鳴動期間情報を入力し、
前記鳴動予定設定手段が、更に、前記入力された鳴動期間情報に基づいて、前記鳴動予定日が当該新たに設定された鳴動予定が持つ鳴動予定日と繰り返し同じ日となる鳴動予定について、前記鳴動期間情報が指示する期間アラームを鳴動させない設定に変更する
ことを特徴とする端末装置。
【００５５】
（付記６）端末装置にアラームの鳴動予定を設定するアラーム鳴動予定設定方法であって、
前記アラームの鳴動予定を入力し、
前記入力された鳴動予定を設定し、
前記設定された鳴動予定を記憶手段に記憶し、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出し、
前記抽出された鳴動予定を表示する
ことを特徴とするアラーム鳴動予定設定方法。
【００５６】
（付記７）端末装置にアラームの鳴動予定を設定するアラーム鳴動予定設定プログラムであって、
コンピュータに、
前記アラームの鳴動予定を入力する処理と、
前記入力された鳴動予定を設定する処理と、
前記設定された鳴動予定を記憶手段に記憶する処理と、
前記鳴動予定の設定を契機として、前記記憶手段に既に記憶されている鳴動予定のうち、当該新たに設定された鳴動予定が持つ鳴動予定日と同じ鳴動予定日を持つ鳴動予定を抽出する処理と、
前記抽出された鳴動予定を表示する処理とを実行させる
ことを特徴とするアラーム鳴動予定設定プログラム。
【産業上の利用可能性】
【００５７】
以上、説明したように、本発明の端末装置、アラーム鳴動予定設定方法及びアラーム鳴動予定設定プログラムによれば、端末装置のユーザが、新たに設定したアラームの鳴動予定についての鳴動予定日に鳴動する予定のアラームスケジュールを効率的に把握することが可能となる。また、本発明の端末装置によれば、新たに設定したアラームの鳴動予定についての鳴動予定日と同日の鳴動予定日を持つアラームの鳴動予定について、個別にアラームを鳴動させるか又は鳴動させないかを選択することが可能となる。また、本発明の端末装置によれば、新たに設定したアラームの鳴動予定についての鳴動予定日と同日の鳴動予定日を持つアラームの鳴動予定について、最初の鳴動予定日にのみアラームを鳴動させず、次回以降（最初の鳴動予定日の翌日以降）の鳴動予定日にはアラームを鳴動させることが可能となる。
【図面の簡単な説明】
【００５８】
【図１】本発明の端末装置の構成の一例を示す図である。
【図２】鳴動予定データのデータ構成の一例を示す図である。
【図３】鳴動予定の設定処理フローの一例を示す図である。
【図４】鳴動予定一覧画面及び鳴動可否選択画面を示す図である。
【図５】操作画面を示す図である。
【図６】操作画面を示す図である。
【符号の説明】
【００５９】
１  端末装置
１１  アプリケーション部
１２  鳴動予定データ記憶部
１３  表示部
１４  操作情報入力部
１５  音声出力部
１６  振動部
１７  ＲＴＣ部
１８  無線部
１９  ベースバンド部
２０  電源スイッチ
２１  電源ＬＳＩ
１１１  鳴動予定設定部
１１２  鳴動予定抽出部
１１３  鳴動制御部
【図１】
2007336020.tif 000003
【図２】
2007336020.tif 000004
【図３】
2007336020.tif 000005
【図４】
2007336020.tif 000006
【図５】
2007336020.tif 000007
【図６】
2007336020.tif 000008